(57)【要約】【課題】本発明は、穴部を有していない任意のカートリッジにおいて、トレイの垂直姿勢での縦置き使用が可能となるようにする。【解決手段】ディスク３１を収納したカートリッジ３０が搭載されるトレイ２０を、光ディスク装置本体１内にローディングして記録再生可能な位置と、光ディスク装置外にアンローディングしてカートリッジが着脱可能な位置とに移送可能に構成した光ディスク装置において、前記トレイ２０側には、前記カートリッジ３０の角部外面を係止する係止突起２４が設けられている。【選択図】図１
2008010149.tif 000002
【特許請求の範囲】
【請求項１】
ディスクを収納したカートリッジが搭載されるトレイを、光ディスク装置本体内にローディングして記録再生可能な位置と、光ディスク装置本体外にアンローディングしてカートリッジが着脱可能な位置とに移送可能に構成した光ディスク装置において、
前記トレイ側には、前記カートリッジの角部外面を係止する係止突起が設けられていることを特徴とする光ディスク装置。
【請求項２】
前記トレイには、搭載されたカートリッジを前方からトレイの後方壁に押圧する押圧手段が設けられ、前記後方壁に、前記係止突起が設けられている請求項１に記載の光ディスク装置。
【請求項３】
前記押圧手段に、前記係止突起が設けられている請求項２に記載の光ディスク装置。
【請求項４】
前記後方壁に設けられた係止突起には、カートリッジを取り出す際に摺動可能な傾斜面が形成されている請求項２又は３に記載の光ディスク装置。
【請求項５】
前記押圧手段に設けられた係止突起には、カートリッジを搭載する際に摺動可能な傾斜面が形成されている請求項３又は４に記載の光ディスク装置。
【請求項６】
前記カートリッジは２つ以上の厚さ部分を有しており、前記係止突起は薄い厚さ部分を係止する位置に設けられている請求項１〜５の何れか一つに記載の光ディスク装置。
【発明の詳細な説明】
【技術分野】
【０００１】
本発明は、ディスクを収納するカートリッジが搭載されるトレイを備えた光ディスク装置に関する。
【背景技術】
【０００２】
ディスクを収納したカートリッジをトレイに搭載し、このトレイを光ディスク装置本体内の記録再生可能な位置にローディングする光ディスク装置が周知である。かかる光ディスク装置をトレイが垂直姿勢になるように縦置きで使用した場合、カートリッジがぐらついてトレイから脱落したり、トレイとカートリッジの位置ずれが発生し、カートリッジがトレイと光ディスク装置本体との間に挟まってしまうという問題があった。そこで、かかる問題を解消すべく、後端面に穴部を有したカートリッジを用い、トレイには前記穴部と係合する突起を設け、トレイを垂直姿勢にした場合に、カートリッジのぐらつきを防止するものがあった（例えば、特許文献１参照。）。
【特許文献１】特許第３０１７７２３号公報
【発明の開示】
【発明が解決しようとする課題】
【０００３】
前記従来の光ディスク装置は、カートリッジに設けられた穴部に、トレイに設けられた突起を係合させる構成であるため、穴部を有していないカートリッジの場合、縦置きが困難であった。
【０００４】
本発明は、穴部を有していないカートリッジにおいても、トレイの垂直姿勢での縦置き使用が可能となる光ディスク装置を提供することを課題とする。
【課題を解決するための手段】
【０００５】
本発明は、上記問題点を解決するためになされたもので、ディスクを収納したカートリッジが搭載されるトレイを、光ディスク装置本体内にローディングして記録再生可能な位置と、光ディスク装置本体外にアンローディングしてカートリッジが着脱可能な位置とに移送可能に構成した光ディスク装置において、前記トレイ側には、前記カートリッジの角部外面を係止する係止突起が設けられていることにある。
【０００６】
かかる本発明は、トレイ側に設けられた係止突起が、トレイに搭載されたカートリッジの角部外面を係止するため、穴部を有していないカートリッジであっても保持できる。このため、トレイの水平姿勢は無論、垂直姿勢であっても、カートリッジがトレイから脱落したり、トレイとカートリッジの位置ずれが発生し、トレイと光ディスク装置本体との間に挟まってしまうおそれがなく、使用が可能となる。
【０００７】
前記トレイには、搭載されたカートリッジを前方からトレイの後方壁に押圧する押圧手段が設けられ、該押圧手段および後方壁に、前記係止突起が設けられているのが好ましい。なお、カートリッジの前方とは、ローディング時にカートリッジが光ディスク装置本体内に挿入される方向の前方をいう。
【０００８】
本発明は、前記後方壁に設けられた係止突起には、カートリッジを取り出す際に摺動可能な傾斜面が形成されている。かかる場合には、カートリッジを容易に取り出せ、良好な操作感が得られる。
【０００９】
本発明は、前記押圧手段に設けられた係止突起には、カートリッジを搭載する際に摺動可能な傾斜面が形成されている。かかる場合には、容易にセットでき良好な操作感が得られる。
【００１０】
本発明は、前記カートリッジは２つ以上の厚さ部分を有しており、前記係止突起は薄い厚さ部分を係止する位置に設けられている。かかる場合には、装置の薄型化が可能となる。
【発明の効果】
【００１１】
本発明の光ディスク装置は、穴部を有していない任意のカートリッジに対して、縦置きでの使用が可能となる。
【発明を実施するための最良の形態】
【００１２】
以下、添付図面を参照して本発明の光ディスク装置にかかる実施の形態について説明する。図１〜図５は、本発明の一実施の形態を示し、図１はカートリッジを搭載したトレイの斜視図、図２はカートリッジを取り除いたトレイの斜視図、図３は光ディスク装置の概略斜視図、図４（ａ）〜（ｃ）は、カートリッジの着脱状態をそれぞれ示す断面図、図５は、カートリッジを示し、（ａ）は平面図、（ｂ）は正面図である。
【００１３】
ディスクに情報を記録再生するための光ディスク装置１は、光ディスク装置本体１０と、トレイ２０とを備えている。光ディスク装置本体１０は、図３および図４（ｃ）に示すようにターンテーブル１１を回転させるモータ１２と、カートリッジ位置決めピン１４、１４と、モータ１２およびカートリッジ位置決めピン１４、１４が固定されたシャーシ１５とが、ケーシング１７内に収容されたものである。
【００１４】
前記トレイ２０は、ディスク３１が収納されたカートリッジ３０及び裸のディスク（ベアディスク）のどちらか一方の記録媒体を選択して搭載可能になっている。カートリッジ３０は、上下壁３２、３３および側周壁３４からなるケーシング３５内に、ディスク３１を回転自在に収納したものである。このケーシング３５は、図５（ａ）および（ｂ）に示すように、上壁３２の両側縁部および前部を凹ませることにより、略Ｕ字状の薄肉部３５ａが厚肉部３５ｂの周囲に設けられている。
【００１５】
トレイ２０は、カートリッジ３０またはベアディスクを光ディスク装置本体１０内にローディングして記録再生可能な位置（記録再生位置）と、光ディスク装置１外にアンローディングして記録媒体を着脱可能な位置（着脱位置）とに移送可能に構成されている。また、トレイ２０は、ベアディスクを載置し保持できる皿状の凹部２１が形成された底壁２２と、この底壁２２の後方端から立設された後方壁２３とを備えている。なお、図４（ａ）〜（ｃ）は、カートリッジ３０の着脱状態をそれぞれ説明する概略図であるため、凹部２１は図示省略されている。
【００１６】
トレイ２０の底壁２２の前部には、搭載されたカートリッジ３を前方から支持する一対の押圧手段２５が設けられている。各押圧手段２５は、底壁２２に立設された支持軸２６を中心にして揺動自在で且つカートリッジ３０の前面に当接する押圧部２７を有する揺動体２８と、前記押圧部２７がカートリッジ３０を押圧する方向に揺動体２８を付勢する付勢手段２９とからなる。付勢手段２９は、棒状のバネ材からなり、一方が揺動体２８に連結され、他方が底壁２２側に連結されている。従って、カートリッジ３０をトレイ２０の底壁２２に載置させた際に、押圧部２７はカートリッジ３０を後方壁２３に押圧させる。
【００１７】
ディスク３１の記録再生時には、ディスク３１がチャッキングされる。チャッキングとは、ディスク３１を記録再生する状態に保持することをいう。具体的には、シャーシ１５が上昇し、カートリッジ位置決めピン１４、１４が、カートリッジ３０をトレイ２０の底壁２２のカートリッジ搭載面から所定の距離離した状態に位置決めし、収納されているディスク３１がターンテーブル１１にチャッキングされる（ターンテーブル１１が、ディスク３１の中央に形成された孔３１ａに嵌合し、ディスク３１を回転すべくケーシング１７から離間させる）ようになっている。このように、トレイ２０が記録再生位置にあり且つカートリッジ３０がトレイ２０のカートリッジ搭載面から所定の距離離れた状態の位置を、チャッキング位置という。
【００１８】
前記トレイ２０の後方壁２３の両側には、カートリッジ３０の薄肉部３５ａ後方角部外面（後方角部上端面）に係止する係止突起２４が、一体成型により前方向きに設けられている。各係止突起２４の下面（カートリッジ３０と対向する面）には、突起の基部から先端に向けて上方に傾斜する傾斜面２４ａが形成されている。各係止突起２４の傾斜面２４ａは、カートリッジ３０のチャッキング位置において、カートリッジ３０の後方角部が当接しない高さ位置に設定されている。また、傾斜面２４ａはカートリッジを取り出す際に摺動可能となっている。各係止突起２４の上面と後方壁２３の上面とは、面一となっている。
【００１９】
各押圧手段２５の押圧部２７の上部には、カートリッジ３０の薄肉部３５ａ前方角部外面（前方角部上端面）に係止突起２７ａが一体成型により後方向きに設けられている。各係止突起２７ａの下面には、突起の基部から先端に向けて上方に傾斜する傾斜面２７ｂが形成されており、カートリッジ３０のチャッキング位置において傾斜面２７ｂは、カートリッジ３０の前方角部が当接しない高さ位置に設定されている。また、傾斜面２７ｂはカートリッジを搭載する際に摺動可能になっている。係止突起２７ａの上面と押圧部２７の上面とは、面一となっている。
【００２０】
次に、前記構成からなる光ディスク装置１を使用する場合について説明する。
【００２１】
先ず、トレイ２０を着脱位置に位置させておいて、カートリッジ３０の先端を押圧手段２５の押圧部２７に当接させた状態で、カートリッジ３０を前方に押し込む（図４（ａ）参照）。カートリッジ３０の先端を押圧部２７に当接させる際に、押圧部２７に設けられた係止突起２７ａの傾斜面が、ガイド面となってカートリッジ３０の先端を摺動案内するため、カートリッジ３０を容易且つ確実に押し込める。揺動体２８は、付勢手段２９の弾性力に抗して支持軸２６を中心にして揺動する。
【００２２】
カートリッジ３０手前（挿入方向後方部）を下方向に下ろし、カートリッジ３０をトレイ２０の底壁２２のカートリッジ搭載面に載せてセットする。これにより、カートリッジ３０は、押圧部２７により前方から後方に付勢され、カートリッジ３０後方端面がトレイ２０の後方壁２３の内面に当接する（図４（ｂ）参照）。
【００２３】
更に、トレイ２０を光ディスク装置本体１０内に移送させる。ローディングされてトレイ２０が記録再生位置にある時、トレイ２０下方からシャーシ１５とともに、ターンテーブル１１およびカートリッジ位置決めピン１４、１４が上昇し、カートリッジ３０をチャッキング位置に位置決めし、収納されているディスク３１がターンテーブル１１に下方からチャッキングされる（図４（ｃ）参照）。
【００２４】
このカートリッジ３０内のディスク３１がターンテーブル１１にチャッキングされた状態において、カートリッジ３０の前方角部上端面が、押圧手段２５の傾斜面２７ｂに当接せず、また、カートリッジ３０の後方角部上端面が、トレイ２０の後方壁２３の傾斜面２４ａに当接しない。この結果、ディスク３１をチャッキングするに際して、それぞれの係止突起２４、２７ａが支障になることはなく、カートリッジ３０が傾斜面２４ａに当接してカートリッジ３０が前後方向に位置ずれることはなく、ディスク３１を正確にチャッキングでき、チャッキング不良が発生することはない。
【００２５】
カートリッジ３０をトレイ２０から取り出す場合には、トレイ２０をアンローディングして着脱位置に移送させる。そして、カートリッジ３０の後方部を持ち上げると、カートリッジ３０の後方上端角部が、後方壁２３の係止突起２４の傾斜面２４ａに当接するが、カートリッジ３０は、その後方角部が傾斜面２４ａを摺動しながら押圧部２７を押圧するため、係止突起２４が支障となることなくカートリッジ３０を容易且つ迅速に取り出すことができる。
【００２６】
光ディスク装置１を縦置き状態で使用する場合には、トレイ２０が垂直姿勢となるが、トレイ２０に搭載されたカートリッジ３０は、その前後の角部が係止突起２４、２７ａにそれぞれ係止するため、カートリッジを保持することが可能である。従って、カートリッジ３０のローディングまたはアンローディング時に、カートリッジ３０がトレイ２０から脱落したり、トレイ２０とケーシング１７との間に挟まってしまうことはない。しかも、トレイ２０の後方壁２３および押圧部２７に、係止突起２４、２７ａを一体成型により設けているので、構造が簡単であり、しかも、各係止突起２４、２７ａは、カートリッジ３０の薄肉部３５ａを係止するため、トレイ２０を効果的に薄くできる。
【００２７】
図６〜図８は、本発明の他の実施の形態を示す。なお、前記実施の形態と同一部材は、同一符号を付してそれぞれの説明は省略する。図６に示す他の本実施の形態は、前記カートリッジ３０の厚さが一定に形成されたものである。
【００２８】
図７に示す実施の形態は、前記押圧部２７に係止突起２７ａを設けることなく、ケーシング１７の開口縁部１７ａが、係止突起２７ａと同等の機能を備えたものである。
【００２９】
図８（ａ）、（ｂ）に示す他の実施の形態は、係止突起２４をトレイ２０の後方壁２３に限らず、トレイ２０の両側壁２３ａ、２３ａに設けたものである。係止突起２４を側壁２３ａ、２３ａに所定の間隔を有して設けることにより、カートリッジ３０を安定して保持できる。なお、カートリッジ３０をトレイ２０に着脱する際に、弾性変形させることができるように、側壁２３ａ、２３ａに切り込み３７、３７を形成するのが好ましい。
【００３０】
また、係止突起２４の上下面は、傾斜面２４ａ、２４ｂとなっている。なお、上傾斜面２４ｂは、カートリッジ３０をトレイ２０に搭載する際の案内面となる。本実施の形態のように係止突起２４を側壁に複数個設ける場合には、押圧部２７に係止突起を設ける必要はない。
【００３１】
本発明は、前記実施の形態に限定されるものではない。本実施の形態では、係止突起２４、２７ａは、トレイ２０の後方壁２３および押圧部２７と一体に設けた場合について例示したが、トレイ２０および押圧部２７と別部品によって構成することも可能である。また、トレイ２０は、カートリッジ３０及びベアディスクのどちらか一方を搭載可能なものを例示したが、カートリッジ３０のみ搭載可能なものであってもよい。
【００３２】
しかも、前記実施の形態は、ディスク３１のチャッキング時に、カートリッジ３０がトレイ２０の底壁２２から離れる構成であったが、カートリッジ３０はトレイ２０の底壁２２に載置させた状態であってもよい。
【図面の簡単な説明】
【００３３】
【図１】本発明の一実施の形態にかかるカートリッジを搭載した状態のトレイの斜視図である。
【図２】本発明の一実施の形態にかかるカートリッジを搭載しない状態のトレイの斜視図である。
【図３】本発明における光ディスク装置の全体斜視図である。
【図４】図１に示すトレイのＡ―Ａ線矢視の概略断面を示し、（ａ）は、カートリッジの着脱途中を示す断面図、（ｂ）はカートリッジの搭載時を示す断面図、（ｃ）は、ディスクのチャッキング完了時を示す断面図である。
【図５】カートリッジを示し、（ａ）は平面図、（ｂ）は正面図である。
【図６】本発明の他の実施の形態を示し、図４（ｂ）に対応する断面図である。
【図７】本発明の更に他の実施の形態を示し、図４（ｂ）に対応する断面図である。
【図８】本発明の更に他の実施の形態を示し、（ａ）は図１に対応するトレイの斜視図、（ｂ）は、（ａ）のＢ―Ｂ線矢視断面図である。
【符号の説明】
【００３４】
１      光ディスク装置本体
２０    トレイ
２３    後方壁
２４    係止突起
２４ａ  傾斜面
２５    押圧手段
２７ａ  係止突起
２７ｂ  傾斜面
３０    カートリッジ
３１    ディスク
【図１】
2008010149.tif 000003
【図２】
2008010149.tif 000004
【図３】
2008010149.tif 000005
【図４】
2008010149.tif 000006
【図５】
2008010149.tif 000007
【図６】
2008010149.tif 000008
【図７】
2008010149.tif 000009
【図８】
2008010149.tif 000010
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
ディスクを収納したカートリッジが搭載されるトレイを、光ディスク装置本体内にローディングして記録再生可能な位置と、光ディスク装置本体外にアンローディングしてカートリッジが着脱可能な位置とに移送可能に構成し、前記トレイには搭載されたカートリッジを前方から支持する押圧手段が設けられ、前記カートリッジの先端を前記押圧手段に当接させた状態で、カートリッジを前方に押し込むことにより、前記カートリッジが前記トレイに搭載される光ディスク装置において、
前記押圧手段は、前記トレイの底壁に立設された支持軸を中心にして揺動自在で且つカートリッジの前面に当接する押圧部を有する揺動体と、前記押圧部がカートリッジを前記トレイの後方壁に押圧するように前記揺動体を付勢する付勢手段とからなり、
前記押圧部には、前記カートリッジの前方角部外面を係止する係止突起が後方向きに設けられ、しかも、前記後方壁には、前記カートリッジの後方角部外面を係止する係止突起が前方向きに設けられ、
前記押圧部に設けられた係止突起の前記カートリッジと対向する面には、前記カートリッジを搭載する際に、カートリッジの前方角部が摺動可能な傾斜面が形成され、
しかも、前記後方壁に設けられた係止突起の前記カートリッジと対向する面には、前記カートリッジを取り出す際に、前記カートリッジの後方角部が摺動可能な傾斜面が形成され、前記カートリッジの後方角部が前記傾斜面を摺動しながら前記カートリッジが前記押圧部を押圧することを特徴とする光ディスク装置。
【請求項２】
前記請求項１に記載の光ディスク装置において、後方壁に設けられた係止突起の傾斜面および前記押圧手段に設けられた係止突起の傾斜面は、前記トレイが記録再生可能な位置にあり且つカートリッジ内のディスクがチャッキングされた状態の時に、カートリッジに当接しない構成であることを特徴とする光ディスク装置。
【請求項３】
前記請求項１または２に記載の光ディスク装置において、前記カートリッジは２つ以上の厚さ部分を有しており、前記係止突起は薄い厚さ部分を係止する位置に設けられていることを特徴とする光ディスク装置。
【手続補正２】
【補正対象書類名】明細書
【補正対象項目名】０００５
【補正方法】変更
【補正の内容】
【０００５】
本発明は、上記問題点を解決するためになされたもので、ディスクを収納したカートリッジが搭載されるトレイを、光ディスク装置本体内にローディングして記録再生可能な位置と、光ディスク装置本体外にアンローディングしてカートリッジが着脱可能な位置とに移送可能に構成し、前記トレイには搭載されたカートリッジを前方から支持する押圧手段が設けられ、前記カートリッジの先端を前記押圧手段に当接させた状態で、カートリッジを前方に押し込むことにより、前記カートリッジが前記トレイに搭載される光ディスク装置において、前記押圧手段は、前記トレイの底壁に立設された支持軸を中心にして揺動自在で且つカートリッジの前面に当接する押圧部を有する揺動体と、前記押圧部がカートリッジを前記トレイの後方壁に押圧するように前記揺動体を付勢する付勢手段とからなり、前記押圧部には、前記カートリッジの前方角部外面を係止する係止突起が後方向きに設けられ、しかも、前記後方壁には、前記カートリッジの後方角部外面を係止する係止突起が前方向きに設けられ、前記押圧部に設けられた係止突起の前記カートリッジと対向する面には、前記カートリッジを搭載する際に、カートリッジの前方角部が摺動可能な傾斜面が形成され、しかも、前記後方壁に設けられた係止突起の前記カートリッジと対向する面には、前記カートリッジを取り出す際に、前記カートリッジの後方角部が摺動可能な傾斜面が形成され、前記カートリッジの後方角部が前記傾斜面を摺動しながら前記カートリッジが前記押圧部を押圧することにある。
【手続補正３】
【補正対象書類名】明細書
【補正対象項目名】０００７
【補正方法】変更
【補正の内容】
【０００７】
なお、カートリッジの前方とは、ローディング時にカートリッジが光ディスク装置本体内に挿入される方向の前方をいう。